(57)【要約】【課題】本発明は、絶縁キャップ体の舌片の角部を曲面として、巻線の速度を向上させ、生産性を向上させることを目的とする。【解決手段】本発明による回転機の絶縁キャップ構造は、ステータコア（１）又はロータコアに設けた絶縁キャップ体（５）の舌片（３，４）の角部（１０）を曲面とし、巻線時のニードルの軌道を従来の角から円に近い状態とし、巻線速度を向上できるようにした構成である。【選択図】　　　　図１
2004007902.tif 000002
【特許請求の範囲】
【請求項１】
回転機のステータコア（１）又はロータコアに、輪状に形成された絶縁キャップ体（５）を介してコイルを巻回するようにした回転機の絶縁キャップ構造において、前記絶縁キャップ体（５）の内側又は外側に形成され前記ステータコア（１）又はロータコアの軸方向に沿って延設された舌片（３ａ，４ａ）の角部（１０）は弧状又はＣ字状をなす曲面からなることを特徴とする回転機の絶縁キャップ構造。
【請求項２】
前記回転機はレゾルバよりなることを特徴とする請求項１記載の回転機の絶縁キャップ構造。
【請求項３】
前記絶縁キャップ体（５）は一対の絶縁キャップ（３，４）よりなることを特徴とする請求項１又は２記載の回転機の絶縁キャップ構造。
【請求項４】
前記絶縁キャップ体（５）は、前記ステータコア（１）又はロータコアに樹脂によって一体成形されていることを特徴とする請求項１又は２記載の回転機の絶縁キャップ構造。
【発明の詳細な説明】
【０００１】
【発明の属する技術分野】
本発明は、回転機の絶縁キャップ構造に関し、特に、コアに巻くコイルを絶縁するための絶縁キャップの舌片の角部の形状を弧状又はＣ字状をなす曲面とし、巻線機によるコイルの巻線の軌道をほぼ円状として容易化し、生産性の向上を計るための新規な改良に関する。
【０００２】
【従来の技術】
従来、用いられていたこの種の回転機の絶縁キャップ構造としては、一般に、図３で示される構成が採用されていた。
すなわち、図３において符号１で示されるものは輪状に形成された複数のステータコア片１ａを積層させてなるステータコアであり、このステータコア１の内面には内側へ向けて突出する複数の磁極２が所定の角度間隔で形成されている。
【０００３】
前記ステータコア１の第１、第２端面１Ａ、１Ｂ側には、樹脂で形成された一対の第１、第２絶縁キャップ３、４が設けられ、各絶縁キャップ３、４により絶縁キャップ体５を構成している。
前記各絶縁キャップ３、４に形成された舌片３ａ、４ａは、各絶縁キャップ３、４の内側でかつステータコア１の軸方向に沿って延設されており、その形状は図４にも示されるように長方形にて形成されている。
【０００４】
前記各舌片３ａ、４ａの両側の角部１０は、直角に形成されており、図４に示されるように、ステータコア１の磁極２を挟んで全体の形状が長方形にて形成されている。尚、図４で示される点線部分２０は、各絶縁キャップ３、４の肉厚を示している。
【０００５】
【発明が解決しようとする課題】
従来の回転機の絶縁キャップ構造は、以上のように構成されていたため、次のような課題が存在していた。
すなわち、各絶縁キャップの舌片の角部の形状が直角状であったため、この状態で自動巻線機によってコイルを各磁極の外周（すなわち、各磁極間のスロット内）に各絶縁キャップで絶縁した状態で巻回する場合に、このコイルを巻付ける自動巻線機のニードルの回転軌道３０は図４で示されるように長方形状となり、そのために、このニードルの動作を制御するサーボ系のプログラムが複雑化していた。
また、このようにニードルの軌道が角形となるために、ニードル自体の動作速度の高速化には限度があり、大量生産時の大きい障害となっていた。
【０００６】
本発明は、以上のような課題を解決するためになされたもので、特に、コアに巻くコイルを絶縁するための絶縁キャップの舌片の角部の形状を弧状又はＣ字状をなす曲面とし、巻線機によるコイルの巻線の軌道をほぼ円状として容易化し、生産性の向上を計るようにした回転機の絶縁キャップ構造を提供することを目的とする。
【０００７】
【課題を解決するための手段】
本発明による回転機の絶縁キャップ構造は、回転機のステータコア又はロータコアに、輪状に形成された絶縁キャップ体を介してコイルを巻回するようにした回転機の絶縁キャップ構造において、前記絶縁キャップ体の内側又は外側に形成され前記ステータコア又はロータコアの軸方向に沿って延設された舌片の角部は弧状又はＣ字状をなす曲面からなる構成であり、また、前記回転機はレゾルバよりなる構成であり、また、前記絶縁キャップ体は一対の絶縁キャップよりなる構成であり、また、前記絶縁キャップ体は、前記ステータコア又はロータコアに樹脂によって一体成形されている構成である。
【０００８】
【発明の実施の形態】
以下、図面と共に本発明による回転機の絶縁キャップ構造の好適な実施の形態について説明する。尚、従来例と同一又は同等部分には同一符号を用いて説明する。
図１において符号１で示されるものは輪状に形成された複数のステータコア片１ａを積層させてなるレゾルバ又はモータ等の回転機（ここでは回転機全体構成は図示を省略している）のステータコアであり、このステータコア１の内面には内側へ向けて突出する複数の磁極２が所定の角度間隔で形成されている。
【０００９】
前記ステータコア１の第１、第２端面１Ａ、１Ｂ側には、樹脂で形成された一対の第１、第２絶縁キャップ３、４が設けられ、各絶縁キャップ３、４により絶縁キャップ体５を構成している。
前記各絶縁キャップ３、４に形成された舌片３ａ、４ａは、各絶縁キャップ３、４の内側でかつステータコア１の軸方向に沿って延設されており、その形状は図２にも示されるように各角部１０がＲを有する、すなわち、弧状（円弧状）、Ｃ加工によるＣ字状の曲面を有して形成されている。
【００１０】
前記各角部１０が図２で示されるように、前述の曲面で形成されているため、磁極２を内側からみると、磁極２と各舌片３ａ、４ａによって形成された外周形状が、従来の長方形から円に近い形状となることができる。尚、図２で示される点線部分２０は各絶縁キャップ３、４の肉厚を示している。
【００１１】
前述の構成において、図示しない自動巻線機のニードルを回転させて、磁極２上の各絶縁キャップ３、４の外周（すなわち、各絶縁キャップ３、４を介してコイルを磁極２に対して絶縁した状態で巻付ける）にコイルを巻付ける場合、このニードルの回転軌道３０は、従来の四角状とは異なり、角部１０の曲面に沿って移動できるため、円に近い形状となることができ、ニードルを回転させるためのサーボ系のプログラムも容易となり、また、その回転の速度も大幅に高速化できる。
【００１２】
尚、前述のコアとしては、回転機のステータコアについて述べたが、ステータコアに限ることなく、コイルを有するロータコアの場合にも適用でき、その場合には、各絶縁キャップ３、４の各舌片３ａ、４ａはロータコア（図示せず）の外周（外側）側に設けられ、回転軸等が貫通されて回転自在に支持される。
また、図１の場合には、レゾルバ方式（実際には、ステータコア１の内側に図示しないロータコアが回転自在に設けられる）について述べているが、レゾルバ以外のモータ等について適用できるものである。
さらに、絶縁キャップ体５についても、一対の絶縁キャップ３、４を用いた場合について述べたが、ステータコア１等のコアに対してインサート方式の射出成形によって各絶縁キャップ３、４を同時成形することで絶縁キャップ体５を形成することもできる。
【００１３】
【発明の効果】
本発明による回転機の絶縁キャップ構造は、以上のように構成されているため、次のような効果を得ることができる。
すなわち、絶縁キャップ体の各舌片の角部の形状が弧状又はＣ字状の曲面で形成されているため、巻線時のニードルの軌道が円に近い形状となり、巻線機の動作の容易化によって巻線速度が向上し、生産性の向上を達成することができる。
【図面の簡単な説明】
【図１】本発明による回転機の絶縁キャップ構造を示す斜視図である。
【図２】図１の磁極部分の内側からの正面図である。
【図３】従来構造を示す斜視図である。
【図４】図３の磁極部分の内側からの正面図である。
【符号の説明】
１　　ステータコア
３、４　　第１、第２絶縁キャップ
３ａ、４ａ　　舌片
５　　絶縁キャップ体
１０　　角部（曲面）
【図１】
2004007902.tif 000003
【図２】
2004007902.tif 000004
【図３】
2004007902.tif 000005
【図４】
2004007902.tif 000006